(57)【要約】【課題】カードスロットに装着された無線通信用カードの通信特性の劣化を防止し、上記無線通信用カードを用いた無線通信を高品質に行うこと可能とする。【解決手段】信号処理回路１７は、カードスロット１１，１２への装着対象カード２の種類を判定する。信号処理回路１７は、装着対象カードが無線通信用カードである場合には、装着対象カードの装着先として適するのがカードスロット１１，１２のいずれであるかを指し示す情報を表示装置１３に表示させる。【選択図】    図１
2005025464.tif 000002
【特許請求の範囲】
【請求項１】
無線通信用カードを含む複数種類のカードを装着可能な複数のカードスロットと、
装着対象カードの種類を判定する判定手段と、
前記判定手段の判定結果に基づいて前記装着対象カードが前記無線通信用カードである場合に、前記装着対象カードの装着先として適した一つのカードスロットを指し示す情報を表示する手段とを具備したことを特徴とする携帯端末装置。
【請求項２】
ユーザによって指定された情報を入力する入力手段をさらに具備し、
前記判定手段を、前記入力手段で入力された情報に基づいて前記装着対象カードの種類を装着前に判別する手段に置き換えることを特徴とする請求項１に記載の携帯端末装置。
【請求項３】
前記判定手段を、前記複数のカードスロットの任意の一つに前記装着対象カードが仮装着された状態で、該装着対象カードに記憶された識別情報を検出する手段に置き換えることを特徴とする請求項１に記載の携帯端末装置。
【請求項４】
第１、第２の部分筐体部および該第１、第２の部分筐体部を折り畳み可能に連結するヒンジを有する筐体と、
前記第１、第２の部分筐体部にそれぞれ設けられ、アンテナを有する無線通信用カードを前記アンテナの少なくとも一部が前記第１、第２の部分筐体部から突出する状態で、かつそれぞれに装着される無線通信用カードの突出部が前記第１、第２の部分筐体部が開いた状態および折り畳まれた状態のいずれでも互いに対向しないように装着可能な第１および第２のカードスロットとを具備したことを特徴とする携帯端末装置。
【請求項５】
１つの通信システムに対応して動作可能な第１の無線通信カードまたは複数の通信システムに対応して動作可能な第２の無線通信用カードをそれぞれ装着可能な複数のカードスロットと、
前記無線通信に利用する通信システムが同一でかつ複数のカードスロットにそれぞれ装着された無線通信カードの動作状態の組み合わせが異なる複数の通信形態における通信品質を測定する手段と、
前記複数の通信形態から前記通信品質が最良の一つの通信形態を選択する手段とを具備したことを特徴とする携帯端末装置。
【発明の詳細な説明】
【０００１】
【発明の属する技術分野】
本発明は、無線通信用のアンテナを搭載するカードを装着可能なカードスロットを複数備える携帯端末装置に関する。
【０００２】
【従来の技術】
近年、電子手帳、ＰＤＡ（Ｐｅｒｓｏｎａｌ  Ｄｉｇｉｔａｌ  Ａｓｓｉｓｔａｎｔ）、携帯パソコンのような携帯端末装置では、それ自身には無線通信機能を備えないことが多い。そしてこのような携帯端末装置では、汎用のカードスロットに無線通信機能を有するカードを挿入することで、無線通信機能を実現する。
【０００３】
ところで近年は、同じく無線通信機能を有するカードであっても、携帯電話用カードや、ＰＨＳ（Ｐｅｒｓｏｎａｌ  Ｈａｎｄｙｐｈｏｎｅ  Ｓｙｓｔｅｍ）用カード、無線ＬＡＮ（Ｌｏｃａｌ  Ａｒｅａ  Ｎｅｔｗｏｒｋ）カード、あるいはＢｌｕｅｔｏｏｔｈ用カードといった様々な種類のカードが存在する。また無線通信機能に限らず、カメラ機能やＴＶチューナ機能などの機能をそれぞれ有する様々なカードが存在する。そして、このような種々のカードの複数を携帯端末装置に装着しておきたいというユーザニーズが存在する。
【０００４】
このような事情から携帯端末装置では、複数のカードスロットを設ける場合がある（特許文献１乃至特許文献４を参照）。複数のカードスロットを設ける場合、携帯端末装置を構成する他のモジュールなどの配置との兼ね合いからカードスロットの位置が決定される。このため、既存の携帯端末装置におけるカードスロットの位置は、様々となっている。
【０００５】
【特許文献１】
特開平８−５６３７９号公報
【０００６】
【特許文献２】
特開平９−１９１４８６号公報
【０００７】
【特許文献３】
特開平９−３３１５６９号公報
【０００８】
【特許文献４】
特開２０００−３１５２９２公報
【０００９】
【発明が解決しようとする課題】
さて、無線通信機能を有するカードは、アンテナを搭載する。一般にアンテナは、それが接続される筐体や基板などにより特性が変化する。これは、筐体ならびに、基板に高周波電流が漏洩し、これらもアンテナの一種として動作するからである。従って、アンテナには、端末に配置される際に最適となる位置が存在する。逆にいうと、アンテナが配置された場所によっては、通信性能が著しく低下する場合がある。
【００１０】
特にカードに搭載されるアンテナは、小型であることが望まれる。小型アンテナの場合、上記の筐体上の配置位置の影響は特に顕著となる。なぜならば、小型アンテナの場合、アンテナが小型化されることで、アンテナからの放射が減り、アンテナ自身よりも筐体からの放射の方がより大きくなるためである。
【００１１】
しかしながら、カードスロットの位置は、このようなカードの無線特性を考慮した位置には設けられていないため、無線通信機能を有したカードの装着状況によって通信品質が変化してしまうおそれがある。そして適正な装着状況になっていないと、通信品質が劣化してしまうという不具合があった。
【００１２】
本発明はこのような事情を考慮してなされたものであり、その目的とするところは、複数のカードスロットを備える携帯端末装置において、上記のカードスロットに装着された無線通信用カードの通信特性の劣化を防止し、前記無線通信用カードを用いた無線通信を高品質に行うこと可能とすることにある。
【００１３】
【課題を解決するための手段】
以上の目的を達成するために本発明は、無線通信用カードを含む複数種類のカードを装着可能な複数のカードスロットと、装着対象カードの種類を判定する判定手段と、前記判定手段の判定結果に基づいて前記装着対象カードが前記無線通信用カードである場合に、前記装着対象カードの装着先として適した一つのカードスロットを指し示す情報を表示する手段とを備えた。
【００１４】
このような手段を講じたことにより、装着対象カードの種類が、例えば装着前あるいは仮装着された状態で判定され、その装着対象カードが無線通信用カードである場合には、装着対象カードの装着先として適した一つのカードスロットを指し示す情報が表示される。従って、複数のカードスロットのうちで無線通信用カードの装着先として適したカードスロットへ無線通信カードを装着するように促される。
【００１５】
前記目的を達成するために別の本発明は、第１、第２の部分筐体部および該第１、第２の部分筐体部を折り畳み可能に連結するヒンジを有する筐体と、前記第１、第２の部分筐体部にそれぞれ設けられ、アンテナを有する無線通信用カードを前記アンテナの少なくとも一部が前記第１、第２の部分筐体部から突出する状態で、かつそれぞれに装着される無線通信用カードの突出部が前記第１、第２の部分筐体部が開いた状態および折り畳まれた状態のいずれでも互いに対向しないように装着可能な第１および第２のカードスロットとを備えた。
【００１６】
このような手段を講じたことにより、第１および第２のカードスロットにそれぞれ無線通信用カードが装着されても、これらの無線通信用カードにおける第１、第２の部分筐体部からの突出部は第１、第２の部分筐体部が開いた状態および折り畳まれた状態のいずれでも互いに対向しない。従って、上記の突出部に収容されたアンテナどうしが近接することがなくなる。
【００１７】
前記目的を達成するために別の本発明は、１つの通信システムに対応して動作可能な第１の無線通信カードまたは複数の通信システムに対応して動作可能な第２の無線通信用カードをそれぞれ装着可能な複数のカードスロットと、前記無線通信に利用する通信システムが同一でかつ複数のカードスロットにそれぞれ装着された無線通信カードの動作状態の組み合わせが異なる複数の通信形態における通信品質を測定する手段と、前記複数の通信形態から前記通信品質が最良の一つの通信形態を選択する手段とを備えた。
【００１８】
このような手段を講じたことにより、複数のカードスロットに複数の無線通信用カードが装着された場合に、無線通信に利用する通信システムが同一でかつ複数のカードスロットにそれぞれ装着された無線通信カードの動作状態の組み合わせが異なる複数の通信形態における通信品質が測定され、上記の複数の通信形態から通信品質が最良の一つの通信形態が選択される。従って、選択された通信形態を利用することで、より高品質な通信を行うことが可能となる。
【００１９】
【発明の実施の形態】
以下、図面を参照して本発明の実施形態につき説明する。
【００２０】
（第１の実施形態）
図１は第１の実施形態に係る携帯端末装置１の構成を示すブロック図である。
この携帯端末装置１は、カードスロット１１，１２、表示装置１３、制御回路１４、入力装置１５、記憶装置１６および信号処理回路１７を含む。
【００２１】
カードスロット１１，１２は、それぞれカード２が任意に装着される。カードスロット１１，１２は、既存のカード規格に準拠した汎用のものである。従ってカードスロット１１，１２に装着可能なカード２は、同一のカード規格に準拠したものであれば良い。カード２としては、通信カード、メモリカード、あるいはカメラカードなどの様々な種類が知られている。
【００２２】
表示装置１３は、例えば液晶表示器を備え、ユーザに対して通知する各種情報を示した画像を表示する。制御回路１４は、表示装置１３に描画させる画像情報の制御を行う。
【００２３】
入力装置１５は、例えばキーボードを備え、ユーザが指定する情報を入力する。
【００２４】
記憶装置１６は、メモリＬＳＩやハードディスクを備え、各種の情報を記憶する。記憶装置１６には、カードの種類と、その種類のカードの装着にカードスロット１１，１２のいずれが適するかを記述した情報（以下、適合情報と称する）が予め書き込まれる。
【００２５】
信号処理回路１７は、例えばＣＰＵを含むディジタル信号処理回路である。信号処理回路１７は、以上の各部を制御して、携帯端末装置１の各種機能を実現する。なお上記の各種機能とは、例えば電子手帳、ＰＤＡ、あるいは携帯パソコンなどのような既存の携帯端末が有しているような機能である。信号処理回路１７はまた、ユーザが携帯端末装置１にカード２を装着しようとするときに、そのカード２を装着するのにカードスロット１１，１２のいずれが適するかをユーザに知らせるための処理を行う。
【００２６】
次に以上のように構成された携帯端末装置１の動作につき説明する。
図２は信号処理回路１７の処理手順を示すフローチャートである。
入力装置１５にて情報を入力するユーザ操作が開始されたならば、信号処理回路１７は図２に示す処理を実行する。
【００２７】
ステップＳＴ１で信号処理回路１７は、ユーザが指定する情報を入力する。このとき、カード２を装着しようとしているユーザは、装着しようとするカード２に関するカード情報を指定する。カード情報としては、カード２の種類を判定するもとになる情報を用いる。例えばカード２の種類を示した識別番号、あるいはカード２の型番や製品名などがカード情報として利用できる。ユーザにより指定されるカード情報の入力は、パーソナルコンピュータなどにおいて一般的に行われているような対話形式で行えば良い。
【００２８】
ステップＳＴ２で信号処理回路１７は、上記のステップＳＴ１で入力した情報がカード情報であるか否かを確認する。もし、上記のステップＳＴ１でカード情報以外の情報を入力したのであれば、信号処理回路１７はステップＳＴ３に進み、入力した情報に応じた処理を実行する。上記のステップＳＴ１でカード情報を入力したのであれば、信号処理回路１７はステップＳＴ２からステップＳＴ４に進む。
【００２９】
ステップＳＴ４で信号処理回路１７は、上記のカード情報に基づいて、ユーザが装着しようとしているカード２の種類を判定する。ステップＳＴ５で信号処理回路１７は、記憶装置１６に記憶されている適合情報を参照して、上記の判定した種類のカードを装着するためにカードスロット１１，１２のいずれが適するかを判定する。ステップＳＴ６で信号処理回路１７は、上記のステップＳＴ５での判定結果をユーザに通知するための案内画面の表示を制御回路１４に対して指示する。
【００３０】
制御回路１４は、信号処理回路１７から上記の指示を受けると、その指示に応じて案内画面を表示するように表示装置１３を制御する。
【００３１】
図３は携帯端末装置１の外観および案内画面の表示の一例を示す斜視図である。なお、図１と同一部分には同一符号を付している。
図３において表示装置１３に表示される案内画面は、カードスロット１１がカード２を装着するのに適すると判断した場合のものである。すなわち、矢印によりカードスロット１１を直接的に指し示すことで、カードスロット１１にカード２を装着することをユーザに促している。
【００３２】
図４は案内画面の別の例を示す斜視図である。なお、図１と同一部分には同一符号を付している。
図４において表示装置１３に表示される案内画面は、図３と同様にカードスロット１１がカード２を装着するのに適すると判断した場合のものである。しかし図４における案内画面は、携帯端末装置１の外観を表わす画像を含み、この画像におけるカードスロット１１の位置を矢印により指し示している。
【００３３】
以上のようにして、ユーザが装着しようとするカード２の種類に応じて、そのカード２を装着するのにカードスロット１１，１２のいずれが適するかがユーザに知らされるのである。カード２を装着するのにカードスロット１１，１２のいずれが適するかは、記憶装置１６に記憶された適合情報に基づいて判断するのであるが、この適合情報は以下のようにして定めておく。
【００３４】
すなわち、無線通信機能を有したカード（以下、無線カードと称する）に関しては、カードスロット１１，１２のいずれに装着したときにその無線カードに備えられたアンテナの特性が最良となるかを調べ、アンテナの特性が最良となるほうのカードスロットを適するものとして適合情報に記述する。もし、無線カードの中でも、利用する通信システムが異なるために最適なカードスロットが異なる種類が存在するならば、これらを別々の種類として区分し、それぞれに適するカードスロットを適合情報に記述する。無線カード以外のカードに関しては、メモリカードやカメラカードなどの複数種類が存在するが、これらは「無線カード以外」という種類として判定すればよい。そして適合情報には、無線カードに適するカードスロットとは異なるカードスロットを、「無線カード以外」という種類のカードに適するものとして記述する。
【００３５】
かくして第１の実施形態の携帯端末装置によれば、ユーザが無線カードを装着しようとするとき、この無線カードに備えられたアンテナの特性が最良となるカードスロットへと上記無線カードを装着するよう促す案内画面が表示される。ユーザがこの案内画面に従って無線カードを装着することで、無線カードがアンテナの特性が最良となるカードスロットへと装着されることになる。そしてこの結果、上記の無線カードを用いてより高品質な無線通信を実現可能となる。
【００３６】
また第１の実施形態の携帯端末装置によれば、無線カードよりも先に無線カード以外のカードが装着される場合には、無線カードを装着するのに適するものとは異なるカードスロットへと上記カードを装着するよう促す案内画面が表示される。ユーザがこの案内画面に従ってカードを装着することで、無線カードを装着するのに適するカードスロットは、空き状態としておくことができる。この結果、次にユーザが無線カードを装着しようとするときに、空きとなっているカードスロットへ無線カードを装着するよう促す案内画面が表示されることになる。
【００３７】
なお、ユーザが無線カードを装着しようとしているときに、無線カードを装着するのに適するカードスロットに既に別のカードが装着されている場合には、その既に装着されているカードと無線カードとの交換を促す案内画面を表示するようにすれば、不慣れなユーザにも分かり易い。
【００３８】
（第２の実施形態）
図５は第２の実施形態に係る携帯端末装置３の構成を示す斜視図である。
この携帯端末装置３は、折り畳み型をなすもので、開いた状態を図５（ａ）に、また閉じた状態（折り畳んだ状態）を図５（ｂ）にそれぞれ示す。
【００３９】
携帯端末装置３は、２つの筐体３１，３２を有する。そして筐体３１，３２には、それぞれ２つずつ、すなわち合計で４つのカードスロット３３，３４，３５，３６が設けられている。これらのカードスロット３３，３４，３５，３６は、例えばコンパクトフラッシュ・タイプＩＩなどのようなカード規格に準拠した汎用のものである。カードスロット３３，３４，３５，３６は、全てが同一のカード規格に準拠していても良いし、異なるカード規格に準拠するものが混在していても良い。
【００４０】
カードスロット３３，３４，３５，３６にはそれぞれ、図５（ｃ）に示すようにカード４，５，６，７が装着可能である。そしてカードスロット３３，３４，３５，３６に装着されたカード４，５，６，７の一部が図５（ｃ）に示すように筐体３１，３２の外部に突出する場合に、開いた状態および閉じた状態のいずれにおいても上記の突出部分が互いに対向しないようにカードスロット３３，３４，３５，３６の位置が決められている。すなわち、カードスロット３３，３４とカードスロット３５，３６との相対的な位置は、開いた状態と閉じた状態とで変化するが、その相対的な位置の変化を考慮して、上述の条件を満たすようにカードスロット３３，３４，３５，３６の位置が決められている。
【００４１】
さて無線カードは、端末に装着された場合に、その端末の筐体外部に一部が突出する構造を有することが一般的である。そして、この筐体外部に突出する部分に、アンテナが配置される。これにより、アンテナが筐体外部に存在することとなり、アンテナ放射の筐体による妨害を抑制している。
【００４２】
従って、カード４，５，６，７が無線カードである場合には、図５（ｃ）に示すようにカード４，５，６，７の一部が筐体３１，３２から突出する。このとき、各カードスロット３３，３４，３５，３６の位置が上述のように決められているから、開いた状態および閉じた状態のいずれにおいても、カード４，５，６，７の突出部分は互いに対向しない。
【００４３】
カード４，５，６，７が無線カードである場合には、その突出部分には上述のようにアンテナが配置されているから、これらが対向すると干渉によりアンテナの性能を著しく劣化させてしまうおそれがある。しかし携帯端末装置３では、上述のようにカード４，５，６，７の突出部分は互いに対向しないので、アンテナ間の干渉を抑制することができる。そしてこの結果、複数の無線カードが同時に装着される場合でも、これらの無線カードを用いてより高品質な無線通信を実現可能となる。
【００４４】
（第３の実施形態）
図６は第３の実施形態に係る携帯端末装置８の構成を示すブロック図である。なお、図１と同一部分には同一符号を付し、その詳細な説明は省略する。
この携帯端末装置８は、カードスロット１１，１２、表示装置１３、制御回路１４、入力装置１５、記憶装置１６および信号処理回路８１を含む。
【００４５】
信号処理回路８１は、カードスロット１１，１２にそれぞれ同じ通信システムに対応した無線カード９，１０が接続された場合に、無線通信に利用する通信システムが同一でかつ無線カード９，１０の動作状態の組み合わせが異なる複数の通信形態から通信品質が最良の一つの通信形態を選択する機能を持つ。
【００４６】
次に以上のように構成された携帯端末装置８の動作につき説明する。
すでに複数の通信システムに対応する無線機が実用化されている。たとえば、米国では、８００ＭＨｚ帯のアナログ携帯電話システム、８００ＭＨｚ帯のディジタル携帯電話システム、ならびに１８００ＭＨｚ帯のディジタル携帯電話システムの３つに対応する無線機が実用化されている。日本国内においても、８００ＭＨｚ帯と１５００ＭＨｚ帯との二つの周波数に対応した無線機が実用化されている。こればかりではなく、無線ＬＡＮでは、２．４ＧＨｚ帯のシステムと５ＧＨｚ帯のシステムとに対応した無線機が実用化されている。さらには、移動電話システムや無線ＬＡＮシステムのような全く異なる種類の複数の通信システムに対応した無線機に関する技術開発が進められている。例えば、ＰＨＳと無線ＬＡＮとに対応した無線機が実用化されている。この種の無線機は、例えばソフトウェア無線機と呼ばれる技術により実現が可能である。
【００４７】
このように複数の通信システムに対応する無線機が一般的になってくると、無線カードも複数の通信システムに対応するものが主流となってくる。そしてこのような環境下においては、ここで例示するケースのように、携帯端末装置８に装着された２つの無線カード９，１０がいずれも同じ通信システムに対応するような状況が生じ得る。以下においては、無線カード９がＰＤＣ（Ｐｅｒｓｏｎａｌ  Ｄｉｇｉｔａｌ  Ｃｅｌｌｕｌａｒ）システムおよび無線ＬＡＮシステムに対応し、無線カード１０がＰＨＳシステムおよび無線ＬＡＮシステムに対応する場合を例に取る。
【００４８】
さて、このような状況においては、無線通信に利用する通信システムが同一でかつ無線カード９，１０の動作状態の組み合わせが異なる複数の通信形態をとり得る場合がある。例えば、ＰＤＣ通信やＰＨＳ通信のみを行う場合には、図７に示すような通信形態Ａ１および図８に示すような通信形態Ｂ１しかとり得ない。しかしながら、ＬＡＮ通信のみを行う場合には、図９に示すような２つの通信形態Ｃ１，Ｃ２がとり得る。ＰＤＣ通信とＬＡＮ通信とを行う場合には、図１０に示すような２つの通信形態Ｄ１，Ｄ２がとり得る。ＰＨＳ通信とＬＡＮ通信とを行う場合には、図１１に示すような２つの通信形態Ｅ１，Ｅ２がとり得る。なお、図７乃至図１１では、各通信形態での無線カード９，１０の動作状態を示している。例えば図７に示す通信形態Ａ１は、無線カード９がＰＤＣシステムを利用する通信を行うが、無線ＬＡＮシステムを利用する通信は行わず、また無線カード１０がＰＨＳシステムを利用する通信および無線ＬＡＮシステムを利用する通信のいずれも行わない、という通信形態であることを示す。
【００４９】
通信形態Ｃ１および通信形態Ｃ２、通信形態Ｄ１および通信形態Ｄ２、通信形態Ｅ１および通信形態Ｅ２はそれぞれ、利用する通信システムが同一であるが、無線カード９，１０の位置の違い、あるいは使用する周波数や送受信のタイミングの違いなどによって、２つの無線カード９，１０に配置されたアンテナ間の干渉量が変化する。この結果、２つの通信形態ではそれぞれ、アンテナの特性が変化し、通信品質に違いが生じることがある。
【００５０】
信号処理回路８１は、通信形態Ｃ１，Ｃ２，Ｄ１，Ｄ２，Ｅ１，Ｅ２のそれぞれを順次設定して、各通信形態での通信品質を測定する。通信品質を表わす値としては、例えば無線カード９，１０に一般的に備えられる受信電界強度検出回路から出力される受信電界強度値を用いることができる。
【００５１】
信号処理回路８１は、無線通信に利用する通信システムが同一である２つの通信形態のそれぞれでの通信品質を比較し、通信品質が最良となる通信形態を選択する。つまり、通信形態Ｃ１，Ｃ２のうちで通信品質が良好なほうを、ＬＡＮ通信のみを行う場合の通信形態として選択する。通信形態Ｄ１，Ｄ２のうちで通信品質が良好なほうを、ＰＤＣ通信とＬＡＮ通信とを行う場合の通信形態として選択する。通信形態Ｅ１，Ｅ２のうちで通信品質が良好なほうを、ＰＨＳ通信とＬＡＮ通信とを行う場合の通信形態として選択する。信号処理回路８１は、選択結果を例えば図１２に示すようなテーブルとして記憶装置１６に記憶させる。図１２の例では、ＬＡＮ通信のみを行う場合に通信形態Ｃ１を、ＰＤＣ通信とＬＡＮ通信とを行う場合に通信形態Ｄ１を、ＰＨＳ通信とＬＡＮ通信とを行う場合に通信形態Ｅ２をそれぞれ選択した結果を示している。
【００５２】
信号処理回路８１は、入力装置１５での操作により使用者が利用する通信システムが指定された場合に、その通信システムを利用する通信形態を記憶装置１６に記憶した上記のテーブルを参照して決定する。具体的には、上記のテーブルが図１２に示す状態であるときに、ＰＤＣ通信とＬＡＮ通信とを行うことが使用者により指定されたならば、信号処理回路８１は通信状態Ｄ１となるように無線カード９，１０を制御する。
【００５３】
このように第３の実施形態の携帯端末装置８によれば、無線通信に利用する通信システムが同一でかつ無線カード９，１０の動作状態の組み合わせが異なる複数の通信形態をとることが可能である場合には、それらの通信形態のそれぞれにおける通信品質が実測され、通信品質が最良となる通信形態が選択される。従って、使用者が利用を希望する通信システムでの通信が異なる複数の通信形態で実現可能である場合に、上記の選択された通信形態を使用することにより最も通信品質が最良となる通信形態で通信を行うことが可能となる。
【００５４】
この発明の各実施形態は、次のような種々の変形実施が可能である。
第１の実施形態では、カード２がカードスロット１１，１２のいずれかに仮装着された状態で、この仮装着されたカード２に記憶されたカード情報を読み出すことでカード情報を入力することとしても良い。このようにすれば、カード情報を指定するために入力装置１５をユーザが操作する手間が省け、ユーザの使い勝手を向上させることが可能となる。
【００５５】
第１の実施形態では、携帯端末装置１に設けられたカメラや携帯端末装置１に装着されたカードに搭載されたカメラを用いて装着しようとするカードを撮影し、信号処理回路１７がこれを画像認識することでカードの種類を判定することも可能である。このようにすれば、カード情報を指定するために入力装置１５をユーザが操作する手間が省け、ユーザの使い勝手を向上させることが可能となる。
【００５６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００５７】
【発明の効果】
カードスロットに装着された無線通信用カードの通信特性の劣化が防止され、前記無線通信用カードを用いた無線通信を高品質に行うことが可能となる。
【図面の簡単な説明】
【図１】第１の実施形態に係る携帯端末装置１の構成を示すブロック図。
【図２】図１中の信号処理回路１７の処理手順を示すフローチャート。
【図３】図１中の携帯端末装置１の外観および案内画面の表示の一例を示す斜視図。
【図４】案内画面の別の例を示す斜視図。
【図５】第２の実施形態に係る携帯端末装置３の構成を示す斜視図。
【図６】第３の実施形態に係る携帯端末装置８の構成を示すブロック図。
【図７】ＰＤＣ通信のみを行う通信形態における無線カードの動作状態の組合わせを示す図。
【図８】ＰＨＳ通信のみを行う通信形態における無線カードの動作状態の組合わせを示す図。
【図９】ＬＡＮ通信のみを行う通信形態における無線カードの動作状態の組合わせを示す図。
【図１０】ＰＤＣ通信およびＬＡＮ通信を行う通信形態における無線カードの動作状態の組合わせを示す図。
【図１１】ＰＨＳ通信およびＬＡＮ通信を行う通信形態における無線カードの動作状態の組合わせを示す図。
【図１２】通信形態の選択結果を表わすテーブル。
【符号の説明】
１，３，８…携帯端末装置、２，４，５，６，７…カード、９，１０…無線カード、９…無線カード、９，１０…無線カード、１１，１２，３３，３４，３５，３６…カードスロット、１３…表示装置、１４…制御回路、１５…入力装置、１６…記憶装置、１７，８１…信号処理回路、３１，３２…筐体。
【図１】
2005025464.tif 000003
【図２】
2005025464.tif 000004
【図３】
2005025464.tif 000005
【図４】
2005025464.tif 000006
【図５】
2005025464.tif 000007
【図６】
2005025464.tif 000008
【図７】
2005025464.tif 000009
【図８】
2005025464.tif 000010
【図９】
2005025464.tif 000011
【図１０】
2005025464.tif 000012
【図１１】
2005025464.tif 000013
【図１２】
2005025464.tif 000014